(57)【要約】【課題】十分な風食防止効果が得られる土壌の風食防止構造と、簡易な工程で風食防止対策を行うことができる土壌の風食防止方法を実現する。【解決手段】土壌10の表面に、マグネシアを硬化させて成る固化層12を形成して成る土壌の風食防止構造。粉状のマグネシアを水に添加してマグネシア水溶液を作製する工程と、上記マグネシア水溶液を土壌10の表面に散布する工程を有し、以て、土壌10の表面に、マグネシアを硬化させて成る固化層12を形成する。【選択図】図１
2015104380.tif 000002
【特許請求の範囲】
【請求項１】
土壌の表面に、マグネシアを硬化させて成る固化層を形成したことを特徴とする土壌の風食防止構造。
【請求項２】
上記土壌に複数筋の畝を平行に形成すると共に、該畝の表面に、上記固化層を形成したことを特徴とする請求項１に記載の土壌の風食防止構造。
【請求項３】
粉状のマグネシアを水に添加してマグネシア水溶液を作製する工程と、上記マグネシア水溶液を土壌の表面に散布する工程を有し、以て、土壌の表面に、マグネシアを硬化させて成る固化層を形成することを特徴とする土壌の風食防止方法。
【請求項４】
粉状のマグネシアを土壌の表面に散布する工程と、散布したマグネシアに散水を行う工程を有し、以て、土壌の表面に、マグネシアを硬化させて成る固化層を形成することを特徴とする土壌の風食防止方法。
【請求項５】
土壌が農作物の耕作地である場合において、土壌に対するマグネシアの散布量が、１００ｇ／ｍ２〜２００ｇ／ｍ２であることを特徴とする請求項３又は４に記載の土壌の風食防止方法。
【発明の詳細な説明】
【技術分野】
【０００１】
本発明は土壌の風食防止構造及び風食防止方法に係り、より詳しくは、土壌の表面にマグネシア（酸化マグネシウム）を硬化させて成る固化層を形成することにより、土壌の飛散を防止する土壌の風食防止構造及び風食防止方法に関する。
【背景技術】
【０００２】
風の強い地域においては、土壌が強風で巻き上げられ飛散することにより、田畑等の優良土壌の浸食被害や、飛散した土壌による環境被害・健康被害が生じている。
例えば、長野県の松本南西部地域（松本市、塩尻市、山形村、朝日村）では、毎年３月から４月にかけて吹き荒れる強風によって土壌が大量飛散する風食被害が発生している。
【０００３】
従来行われている土壌の風食防止対策として、田畑等の土壌にライ麦やエン麦等の麦類を作付けし、強風時期に土壌表面を麦類で被覆しておく方法や、田畑等の土壌の周囲に防風ネットを設置する方法（例えば、特開２００６−２６５８８０号公報）があった。
【先行技術文献】
【特許文献】
【０００４】
【特許文献１】特開２００６−２６５８８０号公報
【発明の概要】
【発明が解決しようとする課題】
【０００５】
上記した土壌表面を麦類で被覆しておく方法の場合にあっては、強風時期終了後に麦類を土壌中にすき込んで緑肥として利用しているが、作付け時とすき込み時の２回トラクターで耕転作業を行う必要があり、非常に手間がかかっていた。また、作付けした麦類が病気に冒されてしまう虞もあった。
【０００６】
一方、土壌の周囲に防風ネットを設置する方法の場合、防風ネットの設備購入費や、防風ネットの設置・保守管理・撤去作業に多大なコスト及び手間が必要であった。また、土壌の周囲に防風ネットを設置しても、土壌表面が露出しているため、十分な風食防止効果を得ることが困難であった。
【０００７】
この発明は、従来の上記問題点に鑑みて案出されたものであり、その目的とするところは、十分な風食防止効果が得られる土壌の風食防止構造と、簡易な工程で風食防止対策を行うことができる土壌の風食防止方法を実現することにある。
【課題を解決するための手段】
【０００８】
上記目的を達成するため、本発明に係る請求項１に記載の土壌の風食防止構造は、
土壌の表面に、マグネシアを硬化させて成る固化層を形成したことを特徴とする。
【０００９】
本発明に係る請求項２に記載の土壌の風食防止構造は、請求項１に記載の土壌の風食防止構造において、
上記土壌に複数筋の畝を平行に形成すると共に、該畝の表面に、上記固化層を形成したことを特徴とする。
【００１０】
本発明に係る請求項３に記載の土壌の風食防止方法は、
粉状のマグネシアを水に添加してマグネシア水溶液を作製する工程と、上記マグネシア水溶液を土壌の表面に散布する工程を有し、以て、土壌の表面に、マグネシアを硬化させて成る固化層を形成することを特徴とする。
【００１１】
本発明に係る請求項４に記載の土壌の風食防止方法は、
粉状のマグネシアを土壌の表面に散布する工程と、散布したマグネシアに散水を行う工程を有し、以て、土壌の表面に、マグネシアを硬化させて成る固化層を形成することを特徴とする。
【００１２】
本発明に係る請求項５に記載の土壌の風食防止方法は、請求項３又は４に記載の土壌の風食防止方法において、
土壌が農作物の耕作地である場合において、土壌に対するマグネシアの散布量が、１００ｇ／ｍ２〜２００ｇ／ｍ２であることを特徴とする。
【発明の効果】
【００１３】
本発明の請求項１に記載の土壌の風食防止構造にあっては、土壌の表面に、マグネシアを硬化させて成る固化層を形成したので、土壌が強風で巻き上げれられて飛散することを防止することができる。
また、固化層の元となるマグネシアは、苦土肥料や食品添加剤としても使用されている安全な物質であり、そのまま放置、或いは土壌と混合して苦土肥料として活用することができるので、強風時期終了後に除去する手間が不要である。
【００１４】
本発明の請求項２に記載の土壌の風食防止構造にあっては、土壌に土を高く盛り上げて成る複数筋の畝を平行に形成することにより、畝と畝の間の溝部分の土壌の風食を畝によって防止できると共に、畝の表面に固化層を形成したことにより、畝部分の土壌の風食も防止することができる。しかも、固化層を畝の表面にだけ形成すれば良いので、マグネシアの使用量を削減でき、低コストで効果的な風食対策を行うことができる。
【００１５】
本発明の請求項３に記載の土壌の風食防止方法にあっては、粉状のマグネシアを水に添加してマグネシア水溶液を作製する工程と、上記マグネシア水溶液を土壌の表面に散布する工程のみで、請求項１に記載の土壌の風食防止構造（土壌の表面に、マグネシアを硬化させて成る固化層を形成して成る土壌の風食防止構造）を実現することができ、簡易な工程で土壌の風食防止対策を行うことができる。
【００１６】
本発明の請求項４に記載の土壌の風食防止方法にあっては、粉状のマグネシアを土壌の表面に散布する工程と、散布したマグネシアに散水を行う工程のみで、請求項１に記載の土壌の風食防止構造（土壌の表面に、マグネシアを硬化させて成る固化層を形成して成る土壌の風食防止構造）を実現することができ、簡易な工程で土壌の風食防止対策を行うことができる。
【００１７】
本発明の請求項５に記載の土壌の風食防止方法は、土壌が農作物の耕作地である場合において、土壌に対するマグネシアの散布量を、１００ｇ／ｍ２〜２００ｇ／ｍ２と成すことにより、風食を防止できる硬度の固化層を形成することができると共に、農作物の生育に悪影響を与えることがない。
【発明を実施するための最良の形態】
【００１８】
以下、本発明に係る土壌の風食防止方法及土壌の風食防止構造を添付図面に基づいて説明する。
図１は、本発明に係る土壌の風食防止方法の工程を示すフロー図であり、本発明の土壌の風食防止方法は以下の工程で行われる。
【００１９】
図１（ａ）に示すように、  先ず、粉状のマグネシア（酸化マグネシウム）を水に添加・溶解し、マグネシア水溶液を作製する（Ｓ10）。尚、マグネシアと水の混合割合（マグネシア：水）は、重量比で１：３〜１：１０程度が適当である。
次に、農業用動力噴霧器等の適宜な噴霧機械を用いて、土壌の表面にマグネシア水溶液を散布する（Ｓ12）。
【００２０】
土壌の表面に散布されたマグネシア水溶液は、以下の過程を経て硬化する。
先ず、マグネシアと水が反応して水酸化マグネシウムが形成され、硬化を開始する。
ＭｇＯ＋Ｈ２Ｏ→Ｍｇ（ＯＨ）２
その後、空気中の炭酸ガスと反応して炭酸マグネシウム（ＭｇＣＯ３）が形成されることにより、高強度で硬化するのである。
Ｍｇ（ＯＨ）２＋ＣＯ２→ＭｇＣＯ３＋Ｈ２Ｏ
【００２１】
上記反応の結果、図２及び図３に示すように、田畑等の土壌10の表面に、マグネシアを硬化させた炭酸マグネシウムより成る固化層12が形成されるのである（Ｓ14）。
【００２２】
図１（ｂ）に示すように、マグネシウム水溶液を作製することなく、粉状のマグネシアを土壌の表面に直接散布（Ｓ20）した後、散布したマグネシアに対して散水を行い（Ｓ22）、上記反応を行わせて固化層12を形成（Ｓ24）しても良い。
尚、水を十分に含んだ田畑等の土壌に粉状のマグネシアを散布する場合には、散水工程（Ｓ22）を省略することができる。
【００２３】
尚、本発明で使用するマグネシア（酸化マグネシウム）は、苦土肥料や食品添加剤としても使用されていることから、生体及び自然環境に対して安全な物質である。
【００２４】
土壌10に対するマグネシアの散布量は、風食を防止できる硬度の固化層12を形成するために、少なくとも１００ｇ／ｍ２ 以上と成すのが適当である。
【００２５】
尚、上記土壌10が田畑等の農作物の耕作地である場合において、苦土肥料でもあるマグネシアの散布量が２００ｇ／ｍ２を超えると苦土肥料過多となり、かえって農作物の生育に悪影響を与えてしまう。
斯かる観点から、土壌10が田畑等の農作物の耕作地である場合においては、マグネシアの散布量を、風食を防止できる硬度の固化層12を形成することができると共に、農作物の生育に悪影響を与えない１００ｇ／ｍ２〜２００ｇ／ｍ２の範囲とするのが好適である。
【００２６】
図１及び図２においては、風食防止対策を施す土壌10の表面全域に固化層12を形成した場合を例示したが、本発明はこれに限定されるものではなく、対象となる土壌10が存在する地域の風の強さ等に応じて固化層12を形成する面積割合は適宜選定することができる。もっとも、風食を効果的に防止するためには、少なくとも３０％以上の面積割合で、土壌10表面に上記固化層12を形成するのが好ましい。
【００２７】
本発明に係る土壌10の風食防止構造にあっては、土壌10の表面に、マグネシアを硬化させて成る固化層12を形成したので、土壌10が強風で巻き上げれられて飛散することを防止することができる。
また、固化層12の元となるマグネシアは、苦土肥料や食品添加剤としても使用されている安全な物質であり、そのまま放置、或いは土壌と混合して苦土肥料として活用することができるので、強風時期終了後に除去する手間が不要である。
【００２８】
本発明の上記土壌10の風食防止構造は、上記の通り、粉状のマグネシアを水に添加してマグネシア水溶液を作製する工程（Ｓ10）、上記マグネシア水溶液を土壌の表面に散布する工程（Ｓ12）のみで実現することができ、簡易な工程で土壌の風食防止対策を行うことができる。
【００２９】
或いは、本発明の上記土壌10の風食防止構造は、上記の通り、粉状のマグネシアを土壌の表面に散布する工程（Ｓ20）、散布したマグネシアに対して散水を行う工程（Ｓ22）のみで実現することができ、簡易な工程で土壌の風食防止対策を行うことができる。
【００３０】
図３及び図４は、田畑等の土壌10に複数筋の畝14を平行に形成し、該畝14の表面に、マグネシアを硬化させて成る上記固化層12を形成し、畝14と畝14の間の溝16部分の土壌10表面には固化層12を形成していないものである。尚、畝14とは、田畑等の土壌10の土を高く盛り上げた所のことをいい、トラクター等で造成することができる。
【００３１】
而して、土を高く盛り上げて成る複数筋の畝14を平行に形成することにより、畝14と畝14の間の溝16部分の土壌10の風食を畝14によって防止できると共に、畝14の表面に固化層12を形成したことにより、畝14部分の土壌10の風食も防止することができる。しかも、固化層12を畝14の表面にだけ形成すれば良いので、マグネシアの使用量を削減でき、低コストで効果的な風食対策を行うことができる。
【図面の簡単な説明】
【００３２】
【図１】本発明に係る土壌の風食防止方法の工程を示すフロー図である。
【図２】土壌の表面に固化層を形成した状態を模式的に示す断面図である。
【図３】土壌の表面に固化層を形成した状態を模式的に示す平面図である。
【図４】土壌に形成した畝の表面に固化層を形成した状態を模式的に示す断面図である。
【図５】土壌に形成した畝の表面に固化層を形成した状態を模式的に示す平面図である。
【符号の説明】
【００３３】
10    土壌
12    固化層
14    畝
16    溝
【図１】
2015104380.tif 000003
【図２】
2015104380.tif 000004
【図３】
2015104380.tif 000005
【図４】
2015104380.tif 000006
【図５】
2015104380.tif 000007